【事件の表示】
　特許第３２０９１９３号「コピーファクシミリ複合機」の請求項１ないし５に係る特許に対する特許異議の申立てについて、次のとおり決定する。
【結　論】
　訂正を認める。
　特許第３２０９１９３号の請求項１ないし５に係る特許を取り消す。
【理　由】
１．手続の経緯
　特許第３２０９１９３号の請求項１〜５に係る発明は、平成１０年１１月６日に特許出願され、平成１３年７月１３日に特許権の設定登録がなされたものであり、その後、特許異議申立人大木茂により本件特許に対して特許異議の申立がなされ、当審により平成１４年５月２２日に取消理由が通知され、その期間内である平成１４年７月２９日に訂正請求書が提出されたものである。
　
　
２．訂正の適否について
（１）訂正の内容
　特許権者が、訂正請求において求めている訂正の内容は、次のとおりである。
　
ア．訂正事項（ア）
　特許請求の範囲の請求項１に係る記載
「【請求項１】
　コピー機能及びファクシミリ機能を備えた複合機において、
　操作部の表示部に、初期画面として、コピー機能及び／又はファクシミリ機能に関する所望のプログラムキーを予め定められた所定個数の範囲内で同時に表示する手段を備え、
　前記初期画面のキーの選択により、前記初期画面から、直接、該キーに対応する動作状態に移行可能としたことを特徴とするコピーファクシミリ複合機。」を、
「【請求項１】
　コピー機能及びファクシミリ機能を備えた複合機において、
　操作部の表示部に、初期画面として、コピー機能
に関する設定をまとめて予め登録した所定のプログラムキー及び
設定をまとめて予め登録した
　前記初期画面のキーの選択により、前記初期画面から、直接、該キーに対応する動作状態に移行可能としたことを特徴とするコピーファクシミリ複合機。」と訂正する。
　
イ．訂正事項（イ）
　特許請求の範囲の請求項２に係る記載
「【請求項２】
　請求項１記載のコピーファクシミリ複合機において、前記操作部からコピー機能を選択した時に前記表示部に表示されるコピー機能初期画面、ファクシミリ機能を選択した時に前記表示部に表示されるファクシミリ初期画面、及び、請求項１記載の前記初期画面の計三種の初期画面のうち、任意の初期画面を選択して表示可能に構成されてなることを特徴とするコピーファクシミリ複合機。」を、
「【請求項２】
　請求項１記載のコピーファクシミリ複合機において、前記操作部からコピー機能を選択した時に前記表示部に表示されるコピー機能初期画面、ファクシミリ機能を選択した時に前記表示部に表示されるファクシミリ初期画面、及び、請求項１記載の前記初期画面の計三種の初期画面のうち、任意の初期画面を選択
し、初期画面として
　
ウ．訂正事項（ウ）
　明細書の段落【０００８】の記載
「【課題を解決するための手段】
　前記目的を達成する本発明のコピーファクシミリ複合機は、コピー機能及びファクシミリ機能のモードとなる専用表示画面とは別に中間的な画面を備え、異なる機能のプログラムキーを同時に表示させることによって、ユーザは１アクション（１回の操作）で所望のプログラムキーを選択可能にしたものである。より詳細には、本発明は、コピー機能及びファクシミリ機能を備えた複合機において、操作部の表示部に、初期画面として、コピー機能及び／又はファクシミリ機能に関する所望のプログラムキーを予め定められた所定個数以内で同時に表示し、前記初期画面のキーの選択により、前記初期画面から直接、該キーに対応する動作状態に移行可能としている。」を
「【課題を解決するための手段】
　前記目的を達成する本発明のコピーファクシミリ複合機は、コピー機能及びファクシミリ機能のモードとなる専用表示画面とは別に中間的な画面を備え、異なる機能のプログラムキーを同時に表示させることによって、ユーザは１アクション（１回の操作）で所望のプログラムキーを選択可能にしたものである。より詳細には、本発明は、コピー機能及びファクシミリ機能を備えた複合機において、操作部の表示部に、初期画面として、コピー機能
に関する設定をまとめて予め登録した所定のプログラムキー及び
設定をまとめて予め登録した
　
（２）訂正の適否
　訂正事項（ア）〜（ウ）の訂正について、その訂正の適否を検討する。
　
訂正事項（ア）について
  「コピー機能及び／又はファクシミリ機能に関する所望のプログラムキー」を、「コピー機能
に関する設定をまとめて予め登録した所定のプログラムキー及び
設定をまとめて予め登録した
　
訂正事項（イ）について
　訂正前の特許請求の範囲の請求項４では、該請求項に係る発明が、コピー機能初期画面、ファクシミリ初期画面、及び、請求項１記載の前記初期画面の計三種の初期画面のうち、任意の初期画面を、単に選択的に表示可能とする発明であるのか、初期画面として表示可能とする発明であるのかが明りょうでないものを、該請求項に係る発明は、コピー機能初期画面、ファクシミリ初期画面、及び、請求項１記載の前記初期画面の計三種の初期画面のうち、任意の初期画面を初期画面として表示可能とする発明であることを明りょうにするものであって、本件特許公報の段落【００３８】の「コピー用初期画面、ファクシミリ初期画面に加えて、中間的な画面も待機画面として指定可能である」なる記載に依拠したものであるから、この訂正は明りょうでない記載の釈明を目的とした訂正に該当する。
　
訂正事項（ウ）について
　訂正事項（ア）の訂正に基づき、請求項の記載の訂正事項と明細書の記載との整合を図るものであるから、明瞭でない記載の釈明を目的とした訂正に該当する。
　
（３）むすび
　以上のとおりであるから、上記訂正は、特許法第１２０条の４第２項および同条第３項によって準用する同第１２６条第２項および第３項の規定に適合するので、当該訂正を認める。
　
　
３．特許異議の申立について
（１）本件発明
　訂正が認められるので、特許第３２０９１９３号の請求項１〜５に係る発明は訂正明細書の特許請求の範囲の請求項１〜５に記載された次のとおりのものと認められる。
「【請求項１】
　コピー機能及びファクシミリ機能を備えた複合機において、
　操作部の表示部に、初期画面として、コピー機能
に関する設定をまとめて予め登録した所定のプログラムキー及び
設定をまとめて予め登録した
　前記初期画面のキーの選択により、前記初期画面から、直接、該キーに対応する動作状態に移行可能としたことを特徴とするコピーファクシミリ複合機。
【請求項２】
　請求項１記載のコピーファクシミリ複合機において、前記操作部からコピー機能を選択した時に前記表示部に表示されるコピー機能初期画面、ファクシミリ機能を選択した時に前記表示部に表示されるファクシミリ初期画面、及び、請求項１記載の前記初期画面の計三種の初期画面のうち、任意の初期画面を選択
し、初期画面として
【請求項３】
　請求項１記載のコピーファクシミリ複合機において、前記初期画面情報が記憶部に記憶され、前記プログラムキーに対応する動作状態を実行後、再び、前記初期画面が表示部に表示されることを特徴とするコピーファクシミリ複合機。
【請求項４】
　請求項１記載のコピーファクシミリ複合機において、前記初期画面に、コピー機能及び／又はファクシミリ機能に関する所望のプログラムキー、及び／又はファクシミリ機能のワンタッチキーが総計所定個数まで同時に表示され、且つ、前記初期画面に表示されるファクシミリ機能に関するプログラムキー及び又はワンタッチキーと、コピー機能に関する前記プログラムキーを、前記初期画面上でどのような個数配分とするかについて、ユーザによって、可変に設定可能とされている、ことを特徴とするコピーファクシミリ複合機。
【請求項５】
　請求項１記載のコピーファクシミリ複合機において、前記初期画面を表示中に、コピー機能又はファクシミリ機能が前記操作部から選択設定された場合、コピー機能の初期画面又はファクシミリ機能の初期画面が前記表示部に表示される、ことを特徴とするコピーファクシミリ複合機。」
　
（２）申立て理由の概要
　特許異議申立人大木茂は、特許第３２０９１９３号の全請求項に係る発明の特許に対して、証拠として、甲第１号証（特開平１０−７９８１９号公報）、及び、甲第２号証（特開平４−３３９４５４号公報）を提出し、本件の請求項１、２、４に係る発明の特許は、特許法第２９条第１項３号、或いは、特許法第２９条第２項の規定に違反してなされたものであり、本件請求項３、５に係る発明の特許は、特許法第２９条第２項の規定に違反してなされたものであって、本件発明についての特許を取り消すべき旨主張している。さらに、特許法第３６条第４項或いは第６項に規定する要件を満足しないものであって、本件発明についての特許を取り消すべき旨主張している。
　
（３）刊行物に記載された発明
あ．甲第１号証（特開平１０−７９８１９号公報）
　甲第１号証には、以下の記載がある。
（あ）「【発明の属する技術分野】本発明は、コピー／ファクシミリ／プリンタ機能等の各種機能を備えた複合機に関し、特に複合機の各種機能に基づいてジョブの指示をユーザインターフェース入出力画面を用いて行う複合機に関する。」（第２頁第２欄第３７行〜第４１行）
　
（い）「【００２８】表示部２５には、ＧＵＩ画面が表示出力され、このＧＵＩ画面を選択指示することにより各種の機能を選択指示することができる。」（第４頁第６欄第５０行〜第５頁第７欄第２行）
　
（う）「【００２９】操作部２４には、コピー機能、ファクシミリ機能、及びその他の特殊ジョブを選択するメニュー画面と、コピー機能の選択に関するコピー画面と、ファクシミリ機能の選択に関するファクス画面との切り替える機能切替ボタンＢ１、（中略）が設置されている。
【００３０】図４に示すように、機能切替ボタンＢ１を押下する度に、メニュー画面→コピー画面→ファクシミリ画面→（メニュー画面）の順序で繰り返して画面が切り替えられる。」（第５頁第７欄第４行〜第１５行）
　
（え）「【００３３】次に、図１１を参照して、初期画面管理テーブル９ｃの内容の一例について説明する。図１１において、初期画面管理テーブル９ｃは、管理番号、識別コード、実行可能ジョブ種別、初期画面、及び表示カテゴリーの各項目に対する情報が記憶管理される。」（第５頁第７欄第３８行〜第４２行）
　
（お）「メニュー画面、コピー画面、ファクス画面の３つの画面が初期画面として設定することができるが、例えば識別コード「０２３」に対しては、コピー画面を初期画面として設定し、識別コード「０４５」に対しては、ファクス画面を、識別コード「３００」に対しては、メニュー画面を、それぞれ初期画面として設定してある。
【００３７】さらに、表示カテゴリーは、上述したように、コピー画面でも、基本コピー画面、お好みコピー画面、及びコピー機能一覧画面の３つの種類の画面があるため、そのうちのどの種類のコピー画面を初期画面として表示するかを割り当てている。」（第５頁第８欄第１４行〜第２５行）
　
（か）「【００６７】図２０は、特定の識別コードをもつユーザがカスタマイズした初期画面を示し、この初期画面は、コピー機能の選択画面を上段に、ファクシミリ機能の選択ボタンを下段に設定し、コピー機能とファクシミリ機能との２つの機能を１つの画面上に設けたものであり、この初期画面に対応する識別コードを持つ磁気カードが部門管理部７に挿入されると、図２０に示す画面が初期画面として表示される。図２０に示す初期画面では、上段に「用紙トレイ」、「拡大縮小」、「コピー濃度」の３つの選択ボタンを設定し、下段に「送信画質」、「通信モード」、「送信濃度」の３つの選択ボタンを設定している。」（第７頁第１２欄第９行〜第２０行）
　
（き）「【００７１】この初期画面のカスタマイズについて図２２から図２５を参照して説明する。図２２は、図６に示すコピー機能のお好みコピー画面等を設定するＧＵＩ画面を示し、６つのお好みキー（ボタン）を有している。
【００７２】初期画面をカスタマイズする場合は、メニュー画面上の「仕様設定」ボタンを選択することにより行うことができ、この「仕様設定」ボタンの押下により、図２３に示すコピー画面設定画面が開かれる。図２３に示すコピー設定画面では、現在の設定状態が示され、この設定状態におけるお好みボタンの設定変更は、所望の項目を選択し、かつ確認／変更ボタンを押下することにより行われる。
【００７３】（中略）
【００７４】同様にして、ファクス画面設定画面の項目４「お好み機能４（下・左）」を選択し、確認／変更ボタンを押下すると、図２５に示す画面が表示され、送信画質を選択することにより、図２０の左・下の選択ボタンが設定される。」（第７頁第１２欄第４１行〜第８頁１３欄第１５行）
　
　上記（あ）〜（き）の記載からみて、甲第１号証には、
「コピー／ファクシミリ／プリンタ機能等の各種機能を備えた複合機に関し、
　ＧＵＩ画面である、メニュー画面、コピー画面、ファクス画面の３つの画面が初期画面として設定することができ、
　表示カテゴリーは、コピー画面でも、基本コピー画面、お好みコピー画面、及びコピー機能一覧画面の３つの種類の画面があるため、そのうちのどの種類のコピー画面を初期画面として表示するかを割り当て、
　管理番号、識別コード、実行可能ジョブ種別、初期画面、及び表示カテゴリーの各項目に対する情報を記憶管理し、
　初期画面のカスタマイズは、コピー機能やファクシミリ機能のお好み画面に対し、設定画面で、６つのお好みキーのうちの所望のキーを選択し、かつ確認／変更ボタンを押下し、設定したい機能を選択することにより、お好みボタンの設定変更をすることで行われ、
　特定の識別コードをもつユーザがカスタマイズして、コピー機能を設定した３つの選択ボタンとファクシミリ機能を設定した３つの選択ボタンを１つの画面上に設けた初期画面を表示する表示部２５を備え、
　表示部２５に表示出力されたＧＵＩ画面を選択指示することにより各種の機能を選択指示することができ、
　操作部２４に設置された機能切替ボタンＢ１を押下する度に、メニュー画面→コピー画面→ファクシミリ画面→（メニュー画面）の順序で繰り返して画面が切り替えられる複合機」の発明（以下、「甲第１号証記載の発明」という）が記載されている。
　
（４）対比・判断
（請求項１に係る発明）
　本件請求項１に係る発明と申立人が提出した甲第１号証記載の発明とを対比すると、
　
ａ．甲第１号証記載の発明は、コピー／ファクシミリ／プリンタ機能等の各種機能を備えた複合機であるから、「コピー機能及びファクシミリ機能を備えた複合機」である点で、請求項１に係る発明と相違しない。
　
ｂ．甲第１号証記載の発明は、特定の識別コードをもつユーザがカスタマイズして、コピー機能を設定した３つの選択ボタンとファクシミリ機能を設定した３つの選択ボタンを１つの画面上に設けた初期画面を表示する表示部２５を備えているから、コピー機能に関する設定及びファクシミリ機能に関する設定を、プログラムキーへ「まとめて」予め登録することを除き、「操作部の表示部に、初期画面として、コピー機能に関する設定を予め登録した所定のプログラムキー及びファクシミリ機能に関する設定を予め登録した所望のプログラムキーを予め定められた所定個数の範囲内で同時に表示する手段を備え」ている点で、請求項１に係る発明と相違しない。
　
ｃ．甲第１号証記載の発明は、表示部２５に表示出力されたＧＵＩ画面を選択指示することにより各種の機能を選択指示することができるから、「前記初期画面のキーの選択により、前記初期画面から、直接、該キーに対応する動作状態に移行可能とした」点で、請求項１に係る発明と相違しない。
　
　したがって、本件請求項１に係る発明と甲第１号証記載の発明とは、
「コピー機能及びファクシミリ機能を備えた複合機において、
　操作部の表示部に、初期画面として、コピー機能に関する設定を予め登録した所定のプログラムキー及びファクシミリ機能に関する設定を予め登録した所望のプログラムキーを予め定められた所定個数の範囲内で同時に表示する手段を備え、
　前記初期画面のキーの選択により、前記初期画面から、直接、該キーに対応する動作状態に移行可能としたことを特徴とするコピーファクシミリ複合機。」である点で一致し、次の点で相違する。
　
　本件請求項１に係る発明は、コピー機能に関する設定及びファクシミリ機能に関する設定を、プログラムキーへ「まとめて」予め登録するのに対して、甲第１号証記載の発明は、コピー機能に関する設定及びファクシミリ機能に関する設定を、プログラムキーへ１つの機能の設定として予め登録する点で相違する点。
　
　しかしながら、プログラムキーに対して、コピー機能に関する設定及びファクシミリ機能に関する設定を予め登録する際に、まとめて登録することは、本件特許公報の【従来技術】の欄の記載や特開平４−２９２９７５号公報の記載などにも見られるごとく、周知な事項にすぎない。
　このため、甲第１号証記載の発明において、コピー機能に関する設定及びファクシミリ機能に関する設定をプログラムキーへ予め登録する際に、複数の機能に関する設定をまとめて登録する、すなわち、初期画面として、コピー機能に関する設定をまとめて予め登録した所定のプログラムキー及びファクシミリ機能に関する設定をまとめて予め登録した所望のプログラムキーを予め定められた所定個数の範囲内で同時に表示することは、当業者であれば格別の創意を要することなくなし得る事項である。
　
（請求項２に係る発明）
　本件請求項２に係る発明と甲第１号証記載の発明とを対比すると、
　
　甲第１号証記載の発明は、操作部２４に設置された機能切替ボタンＢ１を押下する度に、メニュー画面→コピー画面→ファクシミリ画面→（メニュー画面）の順序で繰り返して画面が切り替えられるものであるから、機能切替ボタンＢ１を押下することでコピー画面に切り替えられた時、及び、機能切替ボタンＢ１を押下することでファクシミリ画面に切り替えられた時を生じることは明らかである。
　このため、甲第１号証記載の発明における、機能切替ボタンＢ１を押下することでコピー画面に切り替えられた時、又は、機能切替ボタンＢ１を押下することでファクシミリ画面に切り替えられた時は、請求項２の「操作部からコピー機能を選択した時」又は「操作部からファクス機能を選択した時」に他ならない。
　よって、請求項１で検討した相違点に加え、次の点で相違する。
　
　本件請求項２に係る発明では、操作部からコピー機能を選択した時に表示部に表示されるコピー機能初期画面、ファクシミリ機能を選択した時に表示部に表示されるファクシミリ初期画面、及び、請求項１記載の初期画面の計三種の初期画面のうち、任意の初期画面を選択し、初期画面として表示可能に構成されているに対して、甲第１号証記載の発明は、これら計三種の初期画面のうち、任意の初期画面を選択していない点。
　
　しかしながら、甲第１号証の図４や図１６には、メニュー画面に「コピー」、「ファクス」などボタンが設けられることが記載されており、従来の複合機は、プログラムキーが、複合機の操作パネルの画面において、設定される機能に応じたモード画面に表示されるから、従来の複合機では、操作パネルの画面をコピーモード又はファクシミリモードに切り替えるメニュー画面を設け、該メニュー画面のコピーキー又はファクシミリキーが押下されることによりコピーモード又はファクシミリモードへ切り替える構成となっていることが周知であるから、当業者が甲第１号証の図４や図１６を見ると、「コピー」及び「ファクシミリ」のキーは、従来の複合機におけるメニュー画面に設けられている、コピー画面及びファクシミリ画面へ切り替えるキーであると解釈することは明らかである。
　そして、甲第１号証記載の発明のごとく、特定の識別コードをもつユーザがカスタマイズした初期画面として、コピー機能を設定したキーとファクシミリ機能を設定したキーとの２種類のキーを１つの画面上に設けたならば、初期画面からコピーやファクシミリにおける特定の機能を、コピー画面やファクシミリ画面に切り替えることなく選択でき、ユーザの操作負担が軽減する効果を奏することは、その構成からみて明らかであるとともに、当業者が装置を設計する際に、ユーザの操作負担が軽減できる設計を指向することは、明らかである。
　このため、甲第１号証記載の発明のメニュー画面において、ユーザの操作負担を軽減するため、コピー機能に関する設定を予め登録した所定のプログラムキー及びファクシミリ機能に関する設定を予め登録した所望のプログラムキーを所定個数同時に表示することは、当業者であれば、格別の創意を要することなくなし得る事項である。
　
　甲第１号証記載の発明は、ＧＵＩ画面である、メニュー画面、コピー画面、ファクス画面の３つの画面を初期画面として設定することができる発明であるとともに、該発明では、操作部２４に設置された機能切替ボタンＢ１が押下され、コピー画面又はファクシミリ画面に切り替えられたとき、コピー画面では、基本コピー画面、お好みコピー画面、及びコピー機能一覧画面のうちのいずれかの画面が、ファクシミリ画面では、基本ファクス画面、お好みファクス画面、及びファクス機能一覧画面のうちのいずれかの画面が、コピー画面又はファクシミリ画面における最初に表示される画面、つまり、初期画面として表示されることは明らかであるから、甲第１号証記載の発明のメニュー画面において、ユーザの操作負担を軽減するため、コピー機能に関する設定を予め登録した所定のプログラムキー及びファクシミリ機能に関する設定を予め登録した所望のプログラムキーを所定個数同時に表示することは、初期画面として表示可能である画面が、コピー機能初期画面、ファクシミリ機能初期画面、及び、請求項１記載の前記初期画面の計三種の初期画面のうち、任意の初期画面を選択して表示可能に構成することに他ならない。
　よって、上記の理由により、初期画面として表示可能である画面が、コピー機能初期画面、ファクシミリ機能初期画面、及び、請求項１記載の前記初期画面の計三種の初期画面のうち、任意の初期画面を選択して表示可能に構成することは、当業者であれば、格別の創意を要することなくなし得る事項である。
　
（請求項３に係る発明）
　本件請求項３に係る発明と甲第１号証記載の発明とを対比すると、
　
　甲第１号証記載の発明は、管理番号、識別コード、実行可能ジョブ種別、初期画面、及び表示カテゴリーの各項目に対する情報を記憶管理している。
　また、識別コードに対応させて初期画面をカスタマイズするためには、初期画面に設定する機能の種別や機能を設定するボタンの位置などの情報を識別コードに対応して記憶管理させておく必要があることは当業者にとって明らかな事項である。
　したがって、甲第１号証記載の発明においても、管理番号、識別コード、実行可能ジョブ種別、初期画面、及び表示カテゴリーの各項目に対する情報の他、初期画面に設定する機能の種類や機能を設定するボタンの位置などの情報が記憶されているものと認められ、甲第１号証記載の発明は、「初期画面情報が記憶部に記憶され」ている点で、請求項３に係る発明と相違しない。
　
　このため、請求項１で検討した相違点に加え、次の点で相違する。
　
　本件請求項３に係る発明は、プログラムキーに対応する動作状態を実行後、再び、初期画面が表示部に表示されるのに対して、甲第１号証記載の発明は、プログラムキーに対応した動作状態を実行後、如何なる画面が表示部に表示されるのか記載されていない点。
　
　しかしながら、「初期画面」は、その装置が初期状態にある時に表示される画面であることは明らかであると共に、装置の動作終了後に、装置を初期状態に戻すことは周知な事項である。
　このため、甲第１号証記載の発明において、初期画面にカスタマイズされた選択ボタンの機能に対応するコピー動作又はファクシミリ動作が実行された後、複合機の設定や表示を初期状態に戻し、表示部に初期画面を表示させること、つまり、プログラムキーに対応する動作状態を実行後、再び、初期画面が表示部に表示されるように構成することは、当業者であれば、格別の創意を要することなくなし得る事項である。
　
（請求項４に係る発明）
　本件請求項４に係る発明と甲第１号証記載の発明とを対比すると、
　
　甲第１号証記載の発明は、特定の識別コードをもつユーザがカスタマイズして、コピー機能を設定した３つの選択ボタンとファクシミリ機能を設定した３つの選択ボタンを１つの画面上に設けた初期画面を表示している。
　そして、該初期画面には、コピー機能及びファクス機能に関する所望のプログラムキーが総計数６個、同時に表示されていることは明らかである。
　したがって、甲第１号証記載の発明は、初期画面に、キーが総計所定個数まで同時に表示されている点で、請求項４に係る発明と相違しない。
　
　このため、請求項１で検討した相違点に加え、次の点で相違する。　
　
　本件請求項４に係る発明は、初期画面に同時に表示されるキーが、コピー機能及び／又はファクシミリ機能に関する所望のプログラムキー、及び／又はファクシミリ機能のワンタッチキーであるのに対して、甲第１号証記載の発明は、初期画面に同時に表示されるキーが、コピー機能及びファクシミリ機能に関する所望のプログラムキーである点。
　
　本件請求項４に係る発明は、初期画面に表示されるファクシミリ機能に関するプログラムキー及び又はワンタッチキーと、コピー機能に関する前記プログラムキーを、初期画面上でどのような個数配分とするかについて、ユーザによって、可変に設定可能とされているのに対して、甲第１号証記載の発明は、ユーザによって、可変に設定可能とされているか否か記載されていない点。
　
　しかしながら、前者の相違点に関し、甲第１号証記載の発明の如きファクシミリ機能を有する機器において、操作部に設けられる、ユーザによって登録可能なキーには、プログラムキーと同様にワンタッチキーがあることは当業者にとって周知（必要ならば、特開平５−１４５６７１号公報などを参照）であるから、甲第１号証記載の発明において、初期画面に同時に表示させるキーに、コピー機能及びファクシミリ機能に関する所望のプログラムキーに、ファクシミリ機能のワンタッチキーを加え、コピー機能及び／又はファクシミリ機能に関する所望のプログラムキー、及び／又はファクシミリ機能のワンタッチキーとすることは、当業者であれば格別の創意を要することなくなし得る事項である。
　
　後者の相違点に関し、甲第１号証記載の発明では、設定画面で、お好み画面上の６つのお好みキーのうちの所望のキーを選択し、かつ確認／変更ボタンを押下した後、設定したい機能を選択することによってお好みキーが設定変更されるであり、お好みキーが設定できる機能に制限が設けられていたならば、ユーザにとって所望通りのカスタマイズができないため、このような制限が設けられないことが望ましいことは、当業者にとって明らかである。
　しかも、前述のごとく、初期画面に同時に表示させるキーを、コピー機能及び／又はファクシミリ機能に関する所望のプログラムキー、及び／又はファクシミリ機能のワンタッチキーとすることは、当業者であれば格別の創意を要することなくなし得る事項である。
　このため、ユーザがカスタマイズする初期画面中の６つのお好みキーに、ファクス機能、ファクスの相手先電話番号、又は、コピー機能を、キーに応じて設定できる機能の制限を設けることなく、ユーザによって所望どおりの設定が可能となるようにすることは、当業者であれば格別の創意を要することなくなし得る事項である。
　
　そして、甲第１号証記載の発明において、キーに応じて設定できる機能の制限を設けることなく、ユーザによって所望どおりにお好みキーへファクス機能、ファクスの相手先電話番号、又は、コピー機能の設定が可能となれば、結果として、設定された６つのお好みキーに内、コピー機能が設定されたキーの個数とファクス機能が設定されたキーの個数との配分が、ユーザによって可変に設定可能となることは明らかである。
　よって、上記の理由により、初期画面に表示されるファクシミリ機能に関するプログラムキー及び又はワンタッチキーと、コピー機能に関する前記プログラムキーを、初期画面上でどのような個数配分とするかについて、ユーザによって、可変に設定可能とされるように構成することは、当業者であれば格別の創意を要することなくなし得る事項である。
　
（請求項５に係る発明）
　本件請求項５に係る発明と甲第１号証記載の発明とを対比すると、請求項１で検討した相違点に加え、次の点で相違する。
　
　本件請求項５に係る発明は、初期画面を表示中に、コピー機能又はファクシミリ機能が操作部から選択設定された場合、コピー機能の初期画面又はファクシミリ機能の初期画面が表示部に表示されるのに対して、甲第１号証記載の発明は、如何なる画面が表示されるか記載されていない点。　　
　
　しかしながら、甲第１号証記載の発明では、操作部２４に設置された機能切替ボタンＢ１を押下する度に、メニュー画面→コピー画面→ファクシミリ画面→（メニュー画面）の順序で繰り返して画面が切り替えられるものであるから、機能切替ボタンＢ１の押下は、操作部からコピー機能又はファクシミリ機能が操作部からの選択設定に他ならず、機能切替ボタンＢ１の押下によりコピー機能又はファクシミリ機能に切り替えられた場合、該画面の初期画面として、コピー画面では、基本コピー画面、お好みコピー画面、及びコピー機能一覧画面のうちのいずれかの画面が、ファクシミリ画面では、基本ファクス画面、お好みファクス画面、及びファクス機能一覧画面のうちのいずれかの画面が表示されることは明らかである。
　このため、請求項２に係る発明で検討した理由により、当業者であれば格別の創意を要することなくなし得る事項である、甲第１号証記載の発明に、初期画面として表示可能である画面が、コピー機能初期画面、ファクシミリ機能初期画面、及び、ユーザがカスタマイズした初期画面の計三種の初期画面のうち、任意の初期画面を選択して表示可能に構成したものにおいて、操作部２４に設置された機能切替ボタンＢ１が押下され、コピー画面又はファクシミリ画面に画面が切り替えられた場合、それぞれの画面のいずれかの表示カテゴリーが初期画面として表示されることは明らかである。
　よって、甲第１号証記載の発明において、初期画面を表示中に、コピー機能又はファクシミリ機能が前記操作部から選択設定された場合、コピー機能の初期画面又はファクシミリ機能の初期画面が前記表示部に表示される構成することは、当業者であれば、格別の創意を要することなくなし得る事項である。
　
（５）むすび
　以上から明らかなように、本件請求項１〜５に係る発明についての特許は、拒絶の査定をしなければならない特許出願に対してされたものと認める。
　よって、特許等の一部を改正する法律（平成６年法律第１１６号）附則第１４条の規定に基づく、特許法等の一部を改正する法律の施行に伴う経過処置を定める政令（平成７年政令第２０５号）第４条第２項の規定により、結論のとおり決定する。
【異議決定日】
平成１４年８月２０日（２００２．８．２０）
【訂正の要旨】
訂正の要旨
（１）特許請求の範囲を減縮することを目的として、特許請求の範囲の請求項１に係る記載
「【請求項１】
　コピー機能及びファクシミリ機能を備えた複合機において、
　操作部の表示部に、初期画面として、コピー機能及び／又はファクシミリ機能に関する所望のプログラムキーを予め定められた所定個数の範囲内で同時に表示する手段を備え、
　前記初期画面のキーの選択により、前記初期画面から、直接、該キーに対応する動作状態に移行可能としたことを特徴とするコピーファクシミリ複合機。」を、
「【請求項１】
　コピー機能及びファクシミリ機能を備えた複合機において、
　操作部の表示部に、初期画面として、コピー機能
に関する設定をまとめて予め登録した所定のプログラムキー及び
設定をまとめて予め登録した
　前記初期画面のキーの選択により、前記初期画面から、直接、該キーに対応する動作状態に移行可能としたことを特徴とするコピーファクシミリ複合機。」と訂正する。
（２）明りょうでない記載を釈明することを目的として、特許請求の範囲の請求項２に係る記載
「【請求項２】
　請求項１記載のコピーファクシミリ複合機において、前記操作部からコピー機能を選択した時に前記表示部に表示されるコピー機能初期画面、ファクシミリ機能を選択した時に前記表示部に表示されるファクシミリ初期画面、及び、請求項１記載の前記初期画面の計三種の初期画面のうち、任意の初期画面を選択して表示可能に構成されてなることを特徴とするコピーファクシミリ複合機。」を、
「【請求項２】
　請求項１記載のコピーファクシミリ複合機において、前記操作部からコピー機能を選択した時に前記表示部に表示されるコピー機能初期画面、ファクシミリ機能を選択した時に前記表示部に表示されるファクシミリ初期画面、及び、請求項１記載の前記初期画面の計三種の初期画面のうち、任意の初期画面を選択
し、初期画面として
ウ．特許請求の範囲における訂正事項と明細書の記載との整合を図って、明瞭でない記載の釈明することを目的として、明細書の段落【０００８】の記載
「【課題を解決するための手段】
　前記目的を達成する本発明のコピーファクシミリ複合機は、コピー機能及びファクシミリ機能のモードとなる専用表示画面とは別に中間的な画面を備え、異なる機能のプログラムキーを同時に表示させることによって、ユーザは１アクション（１回の操作）で所望のプログラムキーを選択可能にしたものである。より詳細には、本発明は、コピー機能及びファクシミリ機能を備えた複合機において、操作部の表示部に、初期画面として、コピー機能及び／又はファクシミリ機能に関する所望のプログラムキーを予め定められた所定個数以内で同時に表示し、前記初期画面のキーの選択により、前記初期画面から直接、該キーに対応する動作状態に移行可能としている。」を
「【課題を解決するための手段】
　前記目的を達成する本発明のコピーファクシミリ複合機は、コピー機能及びファクシミリ機能のモードとなる専用表示画面とは別に中間的な画面を備え、異なる機能のプログラムキーを同時に表示させることによって、ユーザは１アクション（１回の操作）で所望のプログラムキーを選択可能にしたものである。より詳細には、本発明は、コピー機能及びファクシミリ機能を備えた複合機において、操作部の表示部に、初期画面として、コピー機能
に関する設定をまとめて予め登録した所定のプログラムキー及び
設定をまとめて予め登録した
（５４）【発明の名称】
コピーファクシミリ複合機
（５７）【特許請求の範囲】
　【請求項１】コピー機能及びファクシミリ機能を備えた複合機において、
操作部の表示部に、初期画面として、コピー機能
に関する設定をまとめて予め登録した所望のプログラムキー及び
設定をまとめて予め登録した
前記初期画面のキーの選択により、前記初期画面から、直接、該キーに対応する動作状態に移行可能としたことを特徴とするコピーファクシミリ複合機。
　【請求項２】請求項１記載のコピーファクシミリ複合機において、前記操作部からコピー機能を選択した時に前記表示部に表示されるコピー機能初期画面、ファクシミリ機能を選択した時に前記表示部に表示されるファクシミリ初期画面、及び、請求項１記載の前記初期画面の計三種の初期画面のうち、任意の初期画面を選択
し、初期画面として
　【請求項３】請求項１記載のコピーファクシミリ複合機において、前記初期画面情報が記憶部に記憶され、前記プログラムキーに対応する動作状態を実行後、再び、前記初期画面が表示部に表示されることを特徴とするコピーファクシミリ複合機。
　【請求項４】請求項１記載のコピーファクシミリ複合機において、前記初期画面に、コピー機能及び／又はファクシミリ機能に関する所望のプログラムキー、及び／又はファクシミリ機能のワンタッチキーが総計所定個数まで同時に表示され、且つ、前記初期画面に表示されるファクシミリ機能に関するプログラムキー及び又はワンタッチキーと、コピー機能に関する前記プログラムキーを、前記初期画面上でどのような個数配分とするかについて、ユーザによって、可変に設定可能とされている、ことを特徴とするコピーファクシミリ複合機。
　【請求項５】請求項１記載のコピーファクシミリ複合機において、前記初期画面を表示中に、コピー機能又はファクシミリ機能が前記操作部から選択設定された場合、コピー機能の初期画面又はファクシミリ機能の初期画面が前記表示部に表示される、ことを特徴とするコピーファクシミリ複合機。
【発明の詳細な説明】
　【０００１】
　【発明の属する技術分野】本発明は、一台の装置で複写機能とファクシミリ機能を併せ持つ複合機に関し、特に、操作性を向上するコピーファクシミリ複合機に関する。
　【０００２】
　【従来の技術】コピー機能及びファクシミリの機能を持つ複合機において、ユーザは操作パネル等から所定のキーを選択入力してモード設定を行うことで、コピー機、又はファクシミリ装置として利用する。この種の従来の複合機において、操作の手間等を省くため所望の動作に必要な設定をまとめて予めプログラムキーとして登録しておき、該プログラムキーを入力することで、該当する動作を実行させる方法が用いられている。プログラムキーの例を挙げれば、ファクシミリの相手先電話番号と共に通信モード、発信元情報付加の指定等を行うファクシミリプログラムキー、あるいはコピーのソートモード、用紙サイズ、濃度などの指定を保持するコピープログラムキーなどがある。
　【０００３】
　【発明が解決しようとする課題】しかしながら、上記従来の複合機におけるこれらプログラムキーは、複合機の操作パネルの画面において、コピーモード、ファクシミリモードと、それぞれ別のモードの画面に表示される。
　【０００４】図７は、従来の複合機において、操作部のＬＣＤ画面（タッチパネル画面）におけるファクシミリモード選択時の初期画面の一例、また図８は、コピーモード選択時の初期画面の一例を示す図である。
　【０００５】ユーザは、複合機において、まず、装置の操作部のコピーキー又はファックスキー（図２の２４又は２５参照）を押下して、コピー又はファクリミリ機能のいずれかのモードを選択し、それぞれのモードにおいて、図７又は図８に示す画面から、それぞれの機能のプログラムキーを選択することになる。
　【０００６】このように、従来の複合機においては、プログラムキーで所望の動作を実行させるまでに、モード選択と、プログラムキーの選択との、計２段階の操作を行うことが必要とされており、操作性の点で改善の余地がある。
　【０００７】したがって、本発明は、上記技術的課題の認識に基づき創案されたものであって、その目的は、操作性を特段に向上するコピーファクシミリ複合機を提供することにある。
　【０００８】
　【課題を解決するための手段】前記目的を達成する本発明のコピーファクシミリ複合機は、コピー機能及びファクシミリ機能のモードとなる専用表示画面とは別に中間的な画面を備え、異なる機能のプログラムキーを同時に表示させることによって、ユーザは１アクション（１回の操作）で所望のプログラムキーを選択可能にしたものである。より詳細には、本発明は、コピー機能及びファクシミリ機能を備えた複合機において、操作部の表示部に、初期画面として、コピー機能
に関する設定をまとめて予め登録した所望のプログラムキー及び
設定をまとめて予め登録した
　【０００９】
　【発明の実施の形態】本発明の実施の形態について以下に説明する。図３は、本発明の一実施の形態の複合機のＬＣＤ（液晶表示装置）画面の一例を示す図であり、本発明における中間的な表示画面の一例を示す図である。図３を参照すると、本発明の実施の形態においては、ファクシミリ送信機能について宛先と送信オプションを指定するためのファクシミリプログラムキー３１を３つ、コピー機能のオプション指定などを予め登録したコピープログラムキー３２が、一画面上に２つ表示されている。本発明の一実施の形態においては、このように、コピー機能、ファクシミリ機能を問わず、例えば使用頻度の高いプログラムキーを初期画面上にいくつか表示させておくことにより、１アクションで、そのキーを選択することが可能である。
　【００１０】
　【実施例】本発明の実施例について図面を参照して以下に説明する。図１は、本発明の一実施例の複合機の装置全体の構成を示すブロック図である。図１を参照すると、本発明の一実施例の複合機は、コピー用及びファクシミリ送信用の原稿を光学的に読み取り電気信号のイメージデータとして取得する原稿読み取り部１と、コピーの印字出力、及び、受信したファクシミリ画像の出力を行うプリンタ部３と、ファクシミリ通信を行うための回線インターフェース部２と、コピー機能及びファクシミリ機能の操作指定を行う操作部４と、ファクシミリ送信の宛先、装置の設定値などを記憶する記憶装置５と、上記した各部に対する制御、及び、装置全体制御を司る制御部６と、を有する。
　【００１１】図２は、図１に示した本発明の一実施例における操作部４の具体的な配置の一例を示す図である。操作部４は、複合機装置筐体の上面等に配設され、コピーまたはファクシミリの各モードに入るためのアプリケーション切り替えキー２４、２５、スタートキー２２、コピー部数、ファクシミリ番号を入力するテンキー２６、設定中の値を初期値に戻すパネルリセットキー２３の他、ストップ２７、割込み２８等の所用のキー、及びＬＣＤ（Ｌｉｑｕｉｄ　Ｃｒｙｓｔａｌ　Ｄｉｓｐｌａｙ　ｉ　液晶表示装置）画面２１を有する。
　【００１２】図３は、本発明の一実施例におけるＬＣＤ画面２１の一例を示す図である。このＬＣＤ画面２１は、液晶パネル上に透明なパネルを備え、画面上に表示されたキー等を指等で押下することで、押下された位置のＸＹ座標が検出されるタッチパネル構成とされ、タッチパネル上で押下された位置のキーが選択される。図３には、宛先と送信オプションを指定するファクシミリプログラムキー３１を３つ、コピーのオプション指定などを登録してあるコピープログラムキー３２を２つ表示している状態が示されている。
　【００１３】ＬＣＤ画面２１上のパネルから、ユーザが、例えば所望のプログラムキー３１、又はコピープログラムキー３２を押下した際に、操作部４から制御部６にプログラムキーの押下が通知され、制御部４はこれをデコードして、該キーに対応する処理をファクシミリ機能又はコピー機能を実行させる。これにより、ユーザは、１つの操作（アクション）で、ファクシミリ機能又はコピー機能においてファクシミリプログラムキー３１、コピープログラムキー３２に対応する動作を、複合機に実行させることができる。
　【００１４】本発明の一実施例の動作について説明する。図４は、本発明の一実施例の動作を説明するための流れ図である。図１乃至図４を参照して、本実施例の動作について説明する。
　【００１５】ここで、一定の動作終了後の操作待機状態にＬＣＤ画面２１に表示されるものを「初期画面」と呼ぶ。
　【００１６】初期画面として、図３に示す画面がＬＣＤ２１に表示されている（ステップＳ４０１）。
　【００１７】図３に示す画面において、所定のキーが押下されると（ステップＳ４０２）、押下されたキーが何であるかを識別する。
　【００１８】キーがファクシミリプログラムキー３１である場合には（ステップＳ４０３のＹ分岐）、操作部４のファクシミリ機能選択キー２５を押下し、プログラムキーを選択された場合と同じ画面へ遷移する（ステップＳ４０７）。
　【００１９】さらにスタートキー２２が押下された場合（ステップＳ４０８のＹ分岐）、ファクシミリ動作を実行し（ステップＳ４０９）、終了後、再び、ステップＳ４１０に戻り、初期画面の表示を行う。
　【００２０】押下されたキーがコピープログラムキー３２である場合には（ステップＳ４０４のＹ分岐）、操作部４でコピー機能選択キー２４を押下してコピープログラムを選択された場合と同じ画面へ遷移する（ステップＳ４０６）。
　【００２１】さらに、スタートキー２２が押下されると（ステップＳ４１０のＹ分岐）、コピー動作を実行し（ステップＳ４１１）、終了後、再びステップＳ４０１に戻り、初期画面表示を行う。
　【００２２】図３に示したＬＣＤ画面（初期画面）には、それぞれのプログラムキーを表示しているが、このプログラムキーのいずれかが押下された場合、該キーの動作に対応する状態に遷移する。
　【００２３】前述したように、従来の複合機では、コピー又はファクシミリ機能に対応するモードの画面を表示してから、プログラムキーを選択し、所望の状態へ遷移するが、本発明の一実施例ではトップ画面から、ワンタッチで、直接、選択されてキーに対応する動作に遷移する。
　【００２４】初期画面が例えば図３に示すような画面であることは、ある動作状態に遷移する前に、画面情報が記憶装置５に記憶されているため、コピー又はファクシミリ機能においてスタートキー２２の押下で、それぞれの登録内容を実行した後には、初期画面の画面情報を記憶装置５から読み出し、再び、図３に示す初期画面が表示される。
　【００２５】そして、従来の複合機において、初期画面としては、コピー機能選択キー２４が押下された状態で表示されるコピー初期画面と、ファクシミリ機能選択キー２５が押下された状態で表示されるファクシミリ初期画面を備えているが、本発明の一実施例においては、これらに加えて図３に示したような、中間的な画面構成を初期画面を備え、これら３つの初期画面のうちのいずれかをユーザによって指定できるものとする。
　【００２６】また、ＬＣＤ画面２１が図３に示す状態にて、例えば図８に示したコピー初期画面には、コピー機能選択キー２４を押下することにより遷移でき、また図７に示したファクシミリ初期画面には、ファクシミリ機能選択キー２５を押下することにより遷移できる。さらに、別の画面から、図３に示した中間的な画面へ遷移させるには、パネルリセットキー２３を、例えば２回連続して押下することで行われる。
　【００２７】次に本発明の第２の実施例について説明する。本発明の第２の実施例の複合機の構成、操作部の構成は、図１及び図２に示した構成と同様なものとする。図５は、本発明の第２の実施例におけるＬＣＤ画面２１の表示の一例を示す図である。
　【００２８】図５を参照すると、ファクシミリプログラムキー５２、コピープログラムキー５３と共に、ファクシミリ宛先を登録したワンタッチキー５１がＬＣＤ画面２１上に表示されている。
　【００２９】この画面では、同時に３種類のキーを表示して選択可能としている。
　【００３０】図６は、本発明の第２の実施例の動作を説明するための流れ図である。図６のステップＳ６０１からＳ６１１の処理は、図４のステップＳ４０１からＳ４１１の処理に対応している。図６を参照すると、本発明の第２の実施例は、ファクシミリ機能のプログラムキーの判定処理のステップＳ６０３と、コピー機能のプログラムキーの判定処理のステップＳ６０４の間に、ステップＳ６１２で、ファクシミリワンタッチキーであるか否かの判別処理が追加されている。
　【００３１】図５に示す画面において、選択されたワンタッチキーが反転表示されるのみで、画面は遷移しないものとする。そして、スタートキー２２の押下により（ステップＳ６０８のＹ分岐）、ファクシミリ動作を実行し（ステップＳ６０９）、初期画面表示に戻る（ステップＳ６０１）。
　【００３２】さらに、図５に示した画面のキー表示について、ファクシミリ関連のキー５１、５２、とコピープログラムキー５３の個数の配分は、ユーザによって任意に設定可能とする。
　【００３３】本発明の第２の実施例では、操作部４でのＬＣＤ画面２１上における各種設定メニューの中に、中間的な画面上でどのようなキー配分とするかについて、ユーザにより、指定入力及び更新等、編集可能としている。例えば、図５に示すように、キーの表示可能な個数が５の場合、（ファクシミリ機能関連キーの個数：コピー機能キーの個数）＝（０：５）、（１：４）、（２：３）、（３：２）、（４：１）、（５：０）のうちから指定可能としている。このように、ユーザの使用状況に合わせて、より使用頻度の高いキーを画面上に表示することができるようになる。
　【００３４】また図５に示した中間的な画面において、テンキー２６が押下された場合には、入力された数値内容、または入力桁数によって、ファクシミリ又はコピーのモードを切り替えるという、公知技術を併用して実装することで、コピー又はファクシミリ動作を行うように構成してもよい。
　【００３５】
　【発明の効果】以上説明したように、本発明によれば下記記載の効果を奏する。
　【００３６】本発明の第１の効果は、操作部の画面から１アクションにて、所望のプログラムキーを選択することができ、操作性を向上する、ということである。
　【００３７】その理由は、本発明においては、中間的な画面に、コピー及びファクシミリ機能の両方のプログラムキーを配置し、該画面上でプログラムキーが押下された際に直接該プログラムキーに対応する動作が実行されるように構成したためである。
　【００３８】本発明の第２の効果は、コピー用初期画面、ファクシミリ初期画面に加えて、中間的な画面も待機画面として指定可能であるため、待機画面の選択の幅を拡大しており、利便性、可用性を向上する、ということである。
【図面の簡単な説明】
　【図１】本発明の一実施例の複合機の装置構成を示す図である。
　【図２】本発明の一実施例の操作部の配置の一例を示す図である。
　【図３】本発明の一実施例における操作部のＬＣＤ画面の一例を示す図である。
　【図４】本発明の一実施例の動作を説明するためのフローチャートである。
　【図５】本発明の第２の実施例における操作部のＬＣＤ画面の一例を示す図である。
　【図６】本発明の第２の実施例の動作を説明するためのフローチャートである。
　【図７】従来の複合機の操作部のファクシミリ機能画面の一例を示す図である。
　【図８】従来の複合機の操作部のコピー機能画面の一例を示す図である。
　【符号の説明】
　１　原稿読み取り部
　２　回線インタフェース部
　３　プリンタ部
　４　操作部
　５　記憶装置
　６　制御部
　２１　ＬＣＤ画面
　２２　スタートボタン
　２３　パネルリセット
　２４　コピー機能選択キー（コピーキー）
　２５　ファクシミリ機能選択キー（ファックスキー）
　２６　テンキー
　２７　ストップキー
　２８　割り込みキー
　３１　ファクシミリプログラムキー
　３２　コピープログラムキー
　５１　ワンタッチキー
　５２　ファクシミリプログラムキー
　５３　コピープログラムキー